(57)【要約】      （修正有）【課題】全体の組み立てプロセスを簡化し、組み立て時間を短縮することができる変圧器の巻線フレーム構造を提供する。【解決手段】変圧器の巻線フレーム構造は、巻線フレーム１０を含み、巻線フレーム１０は、第１巻線領域１３、第１巻線領域１３両側に形成される２つの第２巻線領域１５、及び第１巻線領域１３と第２巻線領域１５を貫通する通路１１を含み、第２巻線領域１５の巻線フレーム１０は、それぞれ少なくとも１つの挿入溝１４１を設置し、これにより、全体の組み立て工程を簡化して組み立て時間を短縮することができる。【選択図】図１
0003198110.tif 000002
【実用新案登録請求の範囲】
【請求項１】
巻線フレームを含み、該巻線フレームは、第１巻線領域、該第１巻線領域両側に形成される２つの第２巻線領域、及び該第１巻線領域と該第２巻線領域を貫通する通路を含み、該第２巻線フレームは、それぞれ少なくとも１つの挿入溝を設置する変圧器の巻線フレーム構造。
【請求項２】
前記巻線フレームは、中空矩形体であり、該通路は、該中空矩形体の中心線の方向に平行に形成され、該中空矩形体の中心線の方向に垂直に互いに平行であり且つ間隔を置いて設置される２つの立て板を延伸し、該第１巻線領域は、各該立て板の間に形成される請求項１に記載の変圧器の巻線フレーム構造。
【請求項３】
各前記立て板の外側領域に複数の間隔板を延伸し、各該間隔板は、各該立て板と平行に配置され、該第２巻線は、各該間隔板に形成される請求項２に記載の変圧器の巻線フレーム構造。
【請求項４】
前記挿入溝は、該間隔板に開設され、且つ該挿入溝は、挿入口を有し、該挿入口は、該間隔体の側辺位置に形成される請求項３に記載の変圧器の巻線フレーム構造。
【請求項５】
前記間隔体の下端に複数のピンボードに延伸し、該ピンボードの下方に複数のピンを接続する請求項３に記載の変圧器の巻線フレーム構造。
【請求項６】
前記大巻線領域内に該通路に連通する通気孔を開設する請求項２に記載の変圧器の巻線フレーム構造。
【請求項７】
更に、複数の導電挿入板を含み、各該導電挿入板は、本体及び該本体に接続する導電環を有し、該導電環は、該挿入溝に対応して挿入接続結合する請求項１に記載の変圧器の巻線フレーム構造。
【請求項８】
前記本体は、「凸」字型を呈し、該本体の広端に複数のピンを延伸する請求項７に記載の変圧器の巻線フレーム構造。
【請求項９】
前記導電環は、相互に平行な２つの横方向段、各該横方向段の一端から湾曲して延伸し、且つ該横方向に垂直な第１縦方向段及び各該横方向段の他端から湾曲して延伸し、該横方向段に垂直な第３縦方向段及び第４縦方向段を含み、該第３縦方向段及び該第４縦方向段は、該第１縦方向段と相互に平行である請求項８に記載の変圧器の巻線フレーム構造。
【請求項１０】
前記第３縦方向段及び該第４縦方向段の間に開口を形成する請求項９に記載の変圧器の巻線フレーム構造。
【考案の詳細な説明】
【技術分野】
【０００１】
本考案は、巻線フレームに関し、特に、変圧器の巻線フレーム構造に関する。
【背景技術】
【０００２】
変圧器は、各種電子製品において経常的に使用する電子部材であり、それは、受ける電流を、変換過程を介してもう１つの比率の電流にし、その他の電子部材に使用させることに用いる。
【０００３】
従来の変圧器は、巻線フレーム、磁芯組、一次側巻線及び二次側巻線を含み、そのうち、一次側巻線及び二次側巻線は、巻線フレームの各巻線領域上に分離して巻き付けられ、磁芯組は、巻線フレームの巻線領域に部分的に貫通し、このように、一次側が電流を通入する時、磁芯組を磁場に感応させ、二次側巻線上に感応電流を発生させる。
【０００４】
電子科学技術の進歩に伴って、電子製品は、電力変換効率に対する要求も益々大きくなり、従って、製品の安全標準規格方面において、変圧器の一次側巻線及び二次側巻線間の使用安全の問題を益々厳格に規範し、従来の変圧器の巻線の多くは、細い銅線によって巻き付けを行い、巻き付けを行う過程において、プロセスの煩雑さにより組み立てが緩慢で不便になり、更に、細い同線を巻線ユニットとすることにより、それが受けることができる電流量が相当大きな制限を受け、且つ使用安全の問題が存在する。
従って、上記技術欠陥を改善することができる変圧器を如何に設計するかは、現在解決が必要な問題となっている。
【先行技術文献】
【特許文献】
【０００５】
【特許文献１】特開２００２−２３１５３８号公報
【考案の概要】
【考案が解決しようとする課題】
【０００６】
本考案の目的は、全体の組み立てプロセスを簡化し、組み立て時間を短縮することができる変圧器の巻線フレーム構造を提供することにある。
【課題を解決するための手段】
【０００７】
上記の目的を達成する為、本考案が提供する変圧器の巻線フレーム構造は、巻線フレームを含み、該巻線フレームは、第１巻線領域、該第１巻線領域両側に形成される２つの第２巻線領域、及び該第１巻線領域と該第２巻線領域を貫通する通路を含み、該第２巻線フレームは、それぞれ少なくとも１つの挿入溝を設置する。
【考案の効果】
【０００８】
本考案は、更に、以下の効果を有し、導電環を二次側巻線とし、比較的大きな電流量の出力を受けることができる。各導電挿入板が挿入接続方式で巻線フレームと結合することによって、メンテナンス過程でただ損壊した部材のみを交換するだけでよく、経済効果を更に備える。
第１巻線領域内に通風孔を開設することによって、外部の低温気体が巻線フレーム内部に進入し、熱交換を行うことに有利であり、各巻線動作により発生される熱量を散逸させることができる。
【図面の簡単な説明】
【０００９】
【図１】本考案の巻線フレーム構造の立体分解図である。
【図２】本考案の巻線フレーム構造の組み合わせ説明図である。
【図３】図２のもう１つの視角図である。
【図４】図２中の４−４断面図である。
【図５】図２中の５−５断面図である。
【図６】図２中の６−６断面図である。
【図７】本考案のもう１つの実施例の断面図である。
【考案を実施するための形態】
【００１０】
本考案の詳細な説明及び技術内容について、以下に図面を合わせて説明するが、図面は、ただ参考及び説明用として提供するのみであり、本考案に対して制限を加えることに用いるものではない。
【００１１】
図１〜図６に示すように、本考案が提供する変圧器の巻線フレーム構造は、巻線フレーム１０を含み、この巻線フレーム１０は、プラスチック等の絶縁材料で形成され、中空矩形体を呈し、中心線に平行な方向に矩形通路１１を有し、中心線に垂直な方向に相互に平行であり且つ間隔を置いて設置される２つの立て板１２を延伸し、この２つの立て板１２の間に第１巻線領域１３を形成し、一次側巻線４に巻き付けを行わせる。
【００１２】
各立て板１２外側領域は、それぞれ複数の間隔板１４を延伸し、各間隔板１４は、各立て板１１と平行に配置され、各間隔板１４は、前記通路１１と相互に連通する挿入溝１４１を設け、且つ各挿入溝１４１は、それぞれ挿入口１４２を有し、この挿入口１４２は、間隔板１４の側辺位置に形成され、各間隔板１４に形成される領域は、第２巻線領域１５を構成する。
【００１３】
また、各間隔板１４の下端両側にそれぞれ２つのピンボード１６を延伸し、各ピンボード１６の下方にそれぞれ２つのピン１７を接続し、一次側巻線４の出線端を電気接続させる。また、第１巻線領域１３内に前記矩形通路１１に連通する通風孔１８を開設する。
【００１４】
本考案の巻線フレーム構造は、更に、複数の導電挿入板２０を含み、各導電挿入板２０は、本体２１及び本体２１に固定される導電環２２を有し、本実施例の本体２１は、回路板であり、「凸」字型を呈し、導電環２２は、銅片又は銅箔であることができ、それは、前記挿入溝１４１の挿入口１４２から挿入されて巻線フレーム１０に接続結合し、二次側巻線５とすることに用いられる。導電環２２の断面積は、従来の巻線の断面積より大きいので、従来の変圧器の巻線を二次側巻線として利用することに比較し、比較的大きな出力電流量を受けることができるという利点を有する。
【００１５】
更に、本実施例の導電環２２は、相互の平行な２つの横方向段２２１、各横方向段２２１の一端から相反方向へ湾曲して延伸し、且つ横方向段２２１に垂直な第１縦方向段２２２及び各横方向段２２１の他端から相反方向から湾曲して延伸し、且つ横方向段２２１に垂直な第２縦方向段２２３及び第３縦方向段２２４を含み、第２縦方向段２２３及び第３縦方向段２２４は、第１縦方向段２２２と相互に平行であり、第２縦方向段２２３及び第３縦方向段２２４の間に開口２２５を形成し、この導電環２２は、本体２１の一側表面上に貼合固定され、且つその開口２２５は、本体２１に近隣する広端位置に位置し、各本体２１の広端位置にそれぞれ下向きに２つのピン２３を延伸し、二次側巻線５の出線端を電気接続させる。
【００１６】
本考案の巻線フレーム構造は、磁芯組３と組み合わせて変圧器を構成することができ、磁芯組３は、第１磁芯３１と第２磁芯３２を含み、第１磁芯３１及び第２磁芯３２は、何れも「Ｅ」字型を呈し、そのうち、各磁芯３１，３２の中間凸部は、前記の通路１１内に貫通し、前記通風孔１８に対応して配置されるギャップを形成し、各磁芯３１，３２の上下凸部は、それぞれ各間隔板１４及び一側巻線４の上下表面を覆い、且つ上下凸部は、相互に突き合わせられ（図４参照）、このようにして変圧器として組み合わせる。
【００１７】
この変圧器は、回路板６上に取り付けることができ、回路板６上に開設される孔又は溝（図示せず）を利用し、前記の各ピン１７，２３を挿入接続結合させる。使用時、電流は、一次側巻線４及び二次側巻線５を通過する時、その上に熱量を発生し、この時、通孔１８とギャップが構成する放熱通路を通過し、前記熱量を外部へ持ち去り散逸することができる。
また、一次側巻線４上方及び各磁芯３１，３２の上下凸部下方の間に放熱通路を形成し、また、任意の隣り合う２つの間隔板１４の間又は間隔板１４及び立て板１２の間に放熱通路を形成し（図４参照）、このように、外部の低温気体を変圧器内部に進入させ易くし、各発熱部材が発生する熱量を持ち去ることができる。
【００１８】
図７を参照し、本考案の巻線フレーム構造は、上記実施例以外であることもでき、本実施例の形態であることでき、そのうち、一次側巻線４は、任意の隣り合う２つの間隔板１４の間又は間隔板１４及び立て板１２の間に巻き付けられることができ、このようにしても、前記実施例の同等効果を有する。使用時、外部の低温気体を利用し、通風孔１８及びギャップを経由し、導電挿入板２０上の各発熱部材が発生する熱量を持ち去る。
【００１９】
上記のように、本考案の変圧器の巻線フレーム構造は、予期する使用目的を確かに達成し、従来の欠陥を解決し、新規性及び進歩性を有する。
【符号の説明】
【００２０】
１０  巻線フレーム
１１  通路
１２  立て板
１３  第１巻線領域
１４  間隔板
１４１  挿入溝
１４２  挿入口
１５  第２巻線領域
１６  ピンボード
１７  ピン
１８  通風孔
２０  導電挿入板
２１  本体
２２  導電環
２２１  横方向段
２２２  第１縦方向段
２２３  第２縦方向段
２２４  第３縦方向段
２２５  開口
２３  ピン
３  磁芯組
３１  第１磁芯
３２  第２磁芯
４  一次側巻線
５  二次側巻線
６  回路板
【図１】
0003198110.tif 000003
【図２】
0003198110.tif 000004
【図３】
0003198110.tif 000005
【図４】
0003198110.tif 000006
【図５】
0003198110.tif 000007
【図６】
0003198110.tif 000008
【図７】
0003198110.tif 000009
【手続補正書】
【提出日】平成27年4月7日(2015.4.7)
【手続補正１】
【補正対象書類名】実用新案登録請求の範囲
【補正対象項目名】全文
【補正方法】変更
【補正の内容】
【実用新案登録請求の範囲】
【請求項１】
巻線フレームを含み、該巻線フレームは、第１巻線領域、該第１巻線領域両側に形成される２つの第２巻線領域、及び該第１巻線領域と該第２巻線領域を貫通する通路を含み、該第２巻線領域の巻線フレームは、それぞれ少なくとも１つの挿入溝を設置する変圧器の巻線フレーム構造。
【請求項２】
前記巻線フレームは、中空矩形体であり、該通路は、該中空矩形体の中心線の方向に平行に形成され、該中空矩形体の中心線の方向に垂直に互いに平行であり且つ間隔を置いて設置される２つの立て板を延伸し、該第１巻線領域は、各該立て板の間に形成される請求項１に記載の変圧器の巻線フレーム構造。
【請求項３】
各前記立て板の外側領域に複数の間隔板を延伸し、各該間隔板は、各該立て板と平行に配置され、該第２巻線領域は、各該間隔板に形成される請求項２に記載の変圧器の巻線フレーム構造。
【請求項４】
前記挿入溝は、該間隔板に開設され、且つ該挿入溝は、挿入口を有し、該挿入口は、該間隔板の側辺位置に形成される請求項３に記載の変圧器の巻線フレーム構造。
【請求項５】
前記間隔板の下端に複数のピンボードに延伸し、該ピンボードの下方に複数のピンを接続する請求項３に記載の変圧器の巻線フレーム構造。
【請求項６】
前記第１巻線領域内に前記通路に連通する通風孔を開設する請求項２に記載の変圧器の巻線フレーム構造。
【請求項７】
更に、複数の導電挿入板を含み、各該導電挿入板は、本体及び該本体に接続する導電環を有し、該導電環は、該挿入溝に対応して挿入接続結合する請求項１に記載の変圧器の巻線フレーム構造。
【請求項８】
前記本体は、「凸」字型を呈し、該本体の広端に複数のピンを延伸する請求項７に記載の変圧器の巻線フレーム構造。
【請求項９】
前記導電環は、相互に平行な２つの横方向段、各該横方向段の一端から湾曲して延伸し、且つ該横方向に垂直な第１縦方向段及び各該横方向段の他端から湾曲して延伸し、該横方向段に垂直な第３縦方向段及び第４縦方向段を含み、該第３縦方向段及び該第４縦方向段は、該第１縦方向段と相互に平行である請求項８に記載の変圧器の巻線フレーム構造。
【請求項１０】
前記第３縦方向段及び該第４縦方向段の間に開口を形成する請求項９に記載の変圧器の巻線フレーム構造。